(57)【特許請求の範囲】
【請求項１】
内容物を収納し、当該内容物を取り出すための開口部が形成される袋本体と、一端が前記袋本体に固定され、前記開口部を開閉自在に覆う蓋材とを有する包装体であって、
前記袋本体は、
前記蓋材の開封時に、前記開口部を解放した状態で前記蓋材と係合するための係合部を備え、
前記袋本体の長手方向両端部の対向する面同士を接合して形成した接合部を備え、
前記蓋材は、
前記蓋材を開封するための摘み部と、
前記摘み部側の端部に前記係合部に係合される被係合部と、を備え、
前記係合部は、
前記摘み部から遠い方に位置する前記接合部に設けられ、
前記係合部及び前記被係合部は、
前記袋本体及び前記蓋材よりも剛性が高く、
前記被係合部は、
前記係合部と係合する方向に屈曲した屈曲部が設けられてなることを特徴とする包装体
。
【発明の詳細な説明】
【技術分野】
【０００１】
本発明は、ウェットティッシュなどが収納された包装体に係り、特に内容物を取り出すための開口部を覆う蓋材を開封状態に保持するようにした開封機構に関する。
【背景技術】
【０００２】
従来、ウェットティッシュなどをポリエチレン等のシート材で包装した包装体が知られている。
【０００３】
図８（ａ）（ｂ）に示すように、従来の包装体１００は、ウェットティッシュを包装し、ウェットティッシュを取り出すための開口部１０１ａ（図８（ｂ）参照）を有する袋状の袋本体１０１、及び開口部１０１ａを覆う蓋材１０２を備えている。
【０００４】
袋本体１０１の上面には、ウェットティッシュを取り出すための開口部１０１ａが形成されるように、ミシン目などが形成され、その上に粘着層を有する蓋材１０２が粘着されるものとなっている。
【０００５】
蓋材１０２には、切り込み１０３が設けられている。この切り込み１０３により、切り込み１０３から蓋材１０２の端部１０５までの部分が袋本体１０１との固定部１０６を形成するようになっている。
【０００６】
例えば、図８（ａ）に示す状態から、ユーザにより蓋材１０２の先端の摘み部１０４が手で保持され、袋本体１０１から蓋材１０２が切り込み１０３まで剥がされると、図８（ｂ）に示すように、蓋材１０２は、固定部１０６が袋本体１０１の表面に固定された状態となる。また、袋本体１０１のミシン目で囲まれた部分１０１ｂが蓋材１０２側に粘着する。これにより、開口部１０１ａが開口された状態となり、ユーザは、開口部１０１ａからウェットティッシュを取り出すことが可能となる。  
【０００７】
しかし、この包装体１００では、蓋材１０２を開口部１０１ａの部分から剥がした後に、蓋材１０２から手を離すと、蓋材１０２がそのまま開口部１０１ａを覆う方向へ倒れやすいという欠点がある。
【０００８】
手を離した直後に、蓋材１０２が開口部１０１ａを覆う方向へ倒れてしまうと、蓋材１０２の下面の粘着層により蓋材１０２が袋本体１０１の表面に粘着されてしまう。このため、継続してウェットティッシュを取り出したいときには、蓋材１０２が邪魔となるので、再び蓋材１０２を袋本体１０１から引き剥がす操作が必要となる。このため、常に片手で蓋材１０２が開口部１０１ａを覆う方向へ戻らないように押さえていなくてはならず、非常に不便である。
【０００９】
このため、手を離しても蓋材１０２が開口部１０１ａを覆う方向へ倒れないようにする包装体の開封機構が知られている。例えば、蓋材を固定端、開口部を覆う封止部及び固定端と封止部との折返し部であるヒンジ部により構成することで、蓋材が開口部の反対側へ倒れやすくするようにした包装体の開封機構が知られている（例えば、特許文献１参照）。また、蓋材を開封したとき、蓋材を立った状態にするために、蓋シールのシールストッパー間に蓋起立用切り込みを有する包装体の開封機構が知られている（例えば、特許文献２参照）。
【先行技術文献】
【特許文献】
【００１０】
【特許文献１】特開平１０−１７０３７号公報
【特許文献２】特開平９−１１７３８７号公報
【発明の概要】
【発明が解決しようとする課題】
【００１１】
しかし、特許文献１に記載の発明にあっては、固定端を１８０度折り返し、折り返された部分を包装体の表面に固着させ、且つ、封止部に剛性を高める層を積層する必要があった。
また、特許文献２に記載の発明にあっては、蓋材に開閉蓋起立用切込みを形成し、且つ、この起立用切込みの両側の縁部に横方向の押罫を設ける必要があった。
すなわち、特許文献１及び２に記載の発明にあっては、蓋材に多数の加工を施す必要があった。
【００１２】
本発明は上記問題に鑑みてなされたものであって、簡単な構成の蓋材を有し、当該蓋材を内容物の取り出し時に邪魔にならない位置で保持できる包装体を実現することを課題とする。
【課題を解決するための手段】
【００１３】
以上の課題を解決するための請求項１記載の発明は、内容物を収納し、当該内容物を取り出すための開口部が形成される袋本体と、一端が前記袋本体に固定され、前記開口部を開閉自在に覆う蓋材とを有する包装体であって、
前記袋本体は、
前記蓋材の開封時に、前記開口部を解放した状態で前記蓋材と係合するための係合部を備え、
前記袋本体の長手方向両端部の対向する面同士を接合して形成した接合部を備え、
前記蓋材は、
前記蓋材を開封するための摘み部と、
前記摘み部側の端部に前記係合部に係合される被係合部と、を備え、
前記係合部は、
前記摘み部から遠い方に位置する前記接合部に設けられ、
前記係合部及び前記被係合部は、
前記袋本体及び前記蓋材よりも剛性が高く、
前記被係合部は、
前記係合部と係合する方向に屈曲した屈曲部が設けられてなることを特徴とする包装体である。
【００１４】
請求項１記載の発明によれば、ユーザが蓋材を開封し、蓋材を袋本体の係合部に係合すると、開口部が開口した状態に維持されるので、蓋材を内容物の取り出し時に邪魔にならない位置で保持することができる。また、蓋材には複数の加工を施す必要はないので、簡単な構成の蓋材を実現できる。すなわち、簡単な構成の蓋材を有し、当該蓋材を内容物の取り出し時に邪魔にならない位置で保持できる包装体を実現することができる。
また、蓋材を内容物の取り出し時に邪魔にならない位置で保持することができるので、ユーザは、容易に内容物を取り出すことができる。
また、蓋材を内容物の取り出し時に邪魔にならない位置で保持できるので、蓋材と内容物とが接触することで、蓋材に薬液等が付着して蓋材の粘着力が低下することを防ぐことができる。
また、蓋材は、被係合部を備える構成とすればよいので、蓋材に複数の加工を施す必要はない。このため、簡単な構成の蓋材を実現できる。
また、係合部及び被係合部は、本体部及び蓋材よりも剛性が高く、被係合部は係合部と係合する方向に屈曲した屈曲部が設けられているので、ユーザは、手間を要することなく簡単に被係合部を係合部に係合させることができる。
【発明の効果】
【００２５】
本発明によれば、簡単な構成の蓋材を有し、当該蓋材を内容物の取り出し時に邪魔にならない位置で保持できる包装体を実現することができる。
【図面の簡単な説明】
【００２６】
【図１】本発明の第１の実施の形態に係る包装体の斜視図である。
【図２】（ａ）は、蓋材係合部と本体係合部とが係合した状態における包装体の平面図である。（ｂ）は、蓋材係合部と本体係合部とが係合した状態における包装体の側面図である。
【図３】本発明の第２の実施の形態に係る包装袋の斜視図である。
【図４】（ａ）は、蓋材とスリットとが係合した状態における包装体の側面図である。（ｂ）は、図４（ａ）の矢印方向から見た包装体を示す図である。
【図５】本発明の第３の実施の形態に係る包装体の斜視図である。
【図６】蓋材と斜めスリットとが係合した状態における包装体の平面図である。
【図７】斜めスリットを複数設けた場合における包装体の斜視図である。
【図８】（ａ）は、蓋材が閉じられている状態を示した従来の包装体の斜視図である。（ｂ）は、蓋材が開けられている状態を示した従来の包装体の斜視図である。
【発明を実施するための形態】
【００２７】
以下、添付図面を参照して本発明に係る第１、第２、第３の実施の形態を詳細に説明する。ただし、発明の範囲は、図示例に限定されない。
【００２８】
（第１の実施の形態）
図１及び図２を参照して、本発明に係る第１の実施の形態を説明する。
【００２９】
図１に示すように、包装体１は、ウェットティッシュを包装し、ウェットティッシュを取り出すための開口部１３（図２（ａ）参照）を有する袋状の袋本体１０、及び開口部１３を覆う蓋材１１を備えている。
【００３０】
なお、本実施の形態では、包装体１に収納される内容物をウェットティッシュとして説明するが、内容物はウェットティッシュに限定されない。例えば、不織布やコットン等の繊維素材に化粧水や乳液を含浸させた化粧品；ガーゼ等の医療品；ビス、ナット、釘等の工具類；ピンクリップ等の文具類、ドライ菓子、ウエット菓子、固形調味料等の食品等であってもよい。
【００３１】
包装体１の袋本体１０は、シート材により構成される。シート材としては、ポリエチレン、ポリプロピレン、ポリエステル、ポリアミド、ポリ塩化ビニル等の合成樹脂シートの単材か又は複合材、あるいは、これら合成樹脂シートとアルミフォイル、紙等を張り合わせた複合シートを用いればよい。
【００３２】
なお、袋本体１０を構成するシート材は、収納する内容物に応じた気密性や液密性を有する素材のものを使用すればよい。例えば、ウェットティッシュ、化粧水や薬剤を含浸させた繊維素材、ウエット菓子等は液密性または気密性を有するシート材を用いるのが好ましい。また、ドライ菓子に乾燥剤を同封したり、釘等に防錆材を同封した場合は、同封の薬剤の効果を持続させるために気密性を有するシート材を用いるとよい。
【００３３】
また、袋本体１０を構成するシート材は、袋本体１０の底面側（図示省略）で袋本体１０の長手方向Ｘに沿って接合されているとともに、袋本体１０の長手方向Ｘの両端部で対向する面同士が接合されている。これにより、袋本体１０の長手方向Ｘの両端部には、接合部１２、１２が形成される。  
【００３４】
袋本体１０に設けられる開口部１３は、ウェットティッシュを取り出すための部分である。開口部１３は、楕円形、円形、長方形、菱形等の適宜の形状とする。また、開口部１３が形成されるように、ミシン目（図示省略）からなる閉ループ部が袋本体１０の上面に形成されている。
【００３５】
蓋材１１は、袋本体１０とは別体のシート片である。蓋材１１の材質は、袋本体１０と同様に、ポリプロピレン、ポリエステル、ポリアミド、ポリ塩化ビニル等の合成樹脂シートの単材か又は複合材、あるいは、これら合成樹脂シートとアルミフォイル、紙等を張り合わせた複合シートからなる液密性シートを用いる。本実施の形態では、袋本体１０及び蓋材１１のシートは、共に液密性シートとする。
【００３６】
蓋材１１の形状は、開口部１３を完全に覆うことができれば特に限定されず、例えば、長方形でも、楕円形でも適宜の形状とすることができる。また、蓋材１１の一端には、蓋材１１を開封するための摘み部１４が形成されている。また、摘み部１４の形状は、蓋材１１を摘むことのできる形状であれば、特に限定されない適宜の形状とすることができる。
【００３７】
袋本体１０に形成された閉ループ部は、ウェットティッシュを使用するために蓋材１１を最初に開閉する際に袋本体１０から切り離されて蓋材１１に粘着したままとなる。例えば、図２（ａ）に示すように、閉ループ部１３ａが袋本体１０から切り離されて蓋材１１に粘着したままとなる。そして、袋本体１０において、閉ループ部１３ａが切り離された部分が開口部１３となる。
【００３８】
蓋材１１の片面（袋本体１０に接する側の面）には、ポリエステル系、アクリル系、ゴム系等の感圧接着剤が塗布されており、蓋材１１は袋本体１０に形成された開口部１３を覆って、繰返し開閉可能に袋本体１０に粘着される。なお、摘み部１４には、感圧接着剤は塗布されていない。
【００３９】
また、図１に示すように、蓋材１１には、摘み部１４と反対側に位置する端部１１ａ付近に切り込み１５が設けられている。この切り込み１５により、切り込み１５から端部１１ａまでが固定部１８を形成し、当該固定部１８により蓋材１１の剥離時に蓋材１１が袋本体１０へ固定される。例えば、図２（ｂ）に示すように、固定部１８が形成されて、蓋材１１が袋本体１０に固定される。
【００４０】
また、蓋材１１の摘み部１４側の端部１１ｂには、被係合部としての蓋材被係合部１６が設けられている。蓋材被係合部１６は、本体係合部１７に係合される部材である。蓋材被係合部１６が本体係合部１７に係合されることにより、開口部１３が開放された状態、即ち、ウェットティッシュの取り出し時に蓋材１１が邪魔にならない位置で保持された状態となる。
【００４１】
また、蓋材被係合部１６は、袋本体１０及び蓋材１１よりも剛性の高い材質のものにより構成される。例えば、蓋材被係合部１６は、厚紙などにより構成される。また、蓋材被係合部１６には、本体係合部１７と係合する方向に屈曲された屈曲部１６ａが設けられている。この屈曲部１６ａが本体係合部１７に引っ掛かることで、蓋材被係合部１６が本体係合部１７に係合される。
【００４２】
また、蓋材被係合部１６は、蓋材１１に塗布された感圧接着剤により摘み部１４を含む端部１１ｂ側に接着されており、袋本体１０とは接着されていない。この構成により、ユーザが蓋材１１を剥がす際は、蓋材被係合部１６が把持される。すなわち、蓋材被係合部１６は、摘み部１４の機能も有する。
【００４３】
また、摘み部１４から遠い方に位置する袋本体１０の接合部１２には、係合部としての本体係合部１７が設けられている。本体係合部１７は、蓋材１１の蓋材被係合部１６を係合させるための部材である。本体係合部１７は、蓋材係合部１６と同様に、袋本体１０及び蓋材１１よりも剛性の高い材質のものにより構成される。例えば、本体係合部１７は、厚紙などにより構成される。また、本体係合部１７は、接合部１２と接着されている。
【００４４】
次に、ユーザが袋本体１０から蓋材１１を引き剥がす動作について説明する。
例えば、包装体１が図１の状態である場合、ユーザにより蓋材被係合部１６が把持される。そして、ユーザにより蓋材被係合部１６が把持された状態で、蓋材１１が袋本体１０から引き剥がされて蓋材１１が開封される。そして、ユーザにより蓋材被係合部１６が本体係合部１７に係合される。蓋材被係合部１６が本体係合部１７に係合されると、図２（ａ）（ｂ）に示すように、ウェットティッシュの取り出し時に蓋材１１が邪魔にならない位置で保持された状態となる。  
【００４５】
以上、第１の実施の形態によれば、蓋材１１に蓋材被係合部１６、袋本体１０に本体係合部１７を備える。このため、ユーザが蓋材１１を開封し、蓋材被係合部１６を本体係合部１７に係合すると、開口部１３が開放した状態に維持されるので、蓋材１１をウェットティッシュの取り出し時に邪魔にならない位置で保持することができる。また、蓋材１１は、蓋材被係合部１６を備える構成とすればよいので、蓋材１１に複数の加工を施す必要はない。このため、簡単な構成の蓋材１１を実現できる。すなわち、簡単な構成の蓋材１１を有し、当該蓋材１１をウェットティッシュの取り出し時に邪魔にならない位置で保持できる包装体１を実現することができる。
【００４６】
また、蓋材１１をウェットティッシュの取り出し時に邪魔にならない位置で保持することができるので、ユーザは、容易にウェットティッシュを取り出すことができる。
【００４７】
また、蓋材１１をウェットティッシュの取り出し時に邪魔にならない位置で保持できるので、蓋材１１とウェットティッシュとが接触することで、蓋材１１に薬液等が付着して蓋材１１に塗布された感圧接着剤の粘着力が低下することを防ぐことができる。
【００４８】
また、蓋材被係合部１６及び本体係合部１７は、袋本体１０及び蓋材１１よりも剛性の高い材質のものにより構成され、蓋材被係合部１６は本体係合部１７と係合する方向に屈曲した屈曲部１６ａが設けられているので、ユーザは、手間を要することなく簡単に蓋材被係合部１６を本体係合部１７に係合させることができる。
【００４９】
（第２の実施の形態）
図３及び図４を参照して、本発明に係る第２の実施の形態を説明する。以下、第１の実施の形態と同様な部分には同一の符号を付し、その詳細な説明を援用し、異なる部分について以下説明する。
【００５０】
図３は、本実施の形態に係る包装体１Ａの斜視図である。図１と異なる部分は、蓋材１１に蓋材係合部１６は設けられておらず、摘み部１４から遠い方に位置する接合部１２に係合部としてのスリット２１を設けたことである。この構成により、スリット２１に蓋材１１の摘み部１４側の端部１１ｂが係合可能となる。
【００５１】
具体的には、スリット２１は、接合部１２の長手方向Ｙの一端部１２ａよりも内側の位置から長手方向Ｙに沿って他端部１２ｂに到る途中まで延びている。
【００５２】
次に、ユーザが袋本体１０から蓋材１１を引き剥がす動作について説明する。
例えば、包装体１Ａが図３の状態である場合、ユーザにより摘み部１４が把持される。なお、本実施の形態における摘み部１４には、間圧接着剤が塗布されていないものとする。そして、ユーザにより摘み部１４が把持された状態で、蓋材１１が袋本体１０から引き剥がされて蓋材１１が開封される。そして、ユーザにより蓋材１１がスリット２１に係合される。蓋材１１がスリット２１に係合されると、図４（ａ）（ｂ）に示すように、蓋材１１が切れ込み２１に挟まり、ウェットティッシュの取り出し時に蓋材１１が邪魔にならない位置で保持された状態となる。
【００５３】
以上、第２の実施の形態によれば、上記第１の実施の形態と同様の効果が得られることは無論のこと、特に、接合部１２の長手方向Ｙの一端部１２ａよりも内側の位置から長手方向Ｙに沿って他端部１２ｂ到る途中まで延びるスリット２１を設ければ、蓋材１１には何も加工を施す必要がない。このため、簡単な構成の蓋材１１を実現することができる。
【００５４】
（第３の実施の形態）
図５及び図６を参照して、本発明に係る第３の実施の形態を説明する。以下、第１の実施の形態と同様な部分には同一の符号を付し、その詳細な説明を援用し、異なる部分について以下説明する。
【００５５】
図５は、本実施の形態に係る包装体１Ｂの斜視図である。図１と異なる部分は、蓋材１１に蓋材係合部１６は設けられておらず、摘み部１４から遠い方に位置する接合部１２に係合部としての斜めスリット２２を設けたことである。この構成により、斜めスリット２２に蓋材１１の摘み部１４側の端部１１ｂが係合可能となる。
【００５６】
具体的には、斜めスリット２２は、接合部１２の短手方向Ｘの一端部１２ｃから斜め方向に沿って他端部１２ｄに到る途中まで延びている。
【００５７】
次に、ユーザが袋本体１０から蓋材１１を引き剥がす動作について説明する。
例えば、包装体１Ｂが図５の状態である場合、ユーザにより摘み部１４が把持される。なお、本実施の形態における摘み部１４には、間圧接着剤が塗布されていないものとする。そして、ユーザにより摘み部１４が把持された状態で、蓋材１１が袋本体１０から引き剥がされて蓋材１１が開封される。そして、ユーザにより蓋材１１が斜めスリット２２に係合される。蓋材１１が斜めスリット２２に係合されると、図６に示すように、蓋材１１が斜めスリットに２２に挟まり、ウェットティッシュの取り出し時に蓋材１１が邪魔にならない位置で保持された状態となる。
【００５８】
以上、第３の実施の形態によれば、上記第１の実施の形態と同様の効果が得られることは無論のこと、特に、接合部１２の端手方向Ｘの一端部１２ｃから斜め方向に沿って他端部１２ｄに到る途中まで延びる斜めスリット２２を設ければ、蓋材１１には何も加工を施す必要がない。このため、簡単な構成の蓋材１１を実現することができる。
【００５９】
なお、上記実施の形態における記述は、本発明に係る包装体の一例であり、これに限定されるものではない。
【００６０】
例えば、第２の実施の形態におけるスリット２１の長さ、及び第３の実施の形態における斜めスリット２２の長さは、蓋材１１を挟むことができれば、任意の長さで構成可能である。  
【００６１】
また、第３の実施の形態では、斜めスリット２２を１つ設ける構成としたが、蓋材１１を挟みこむことができれば、斜めスリット２２の数は限定されるものではない。例えば、図７に示すように、斜めスリット２２を２つ設けることとしてもよい。  
【符号の説明】
【００６２】
１、１Ａ、１Ｂ  包装体
１０  袋本体
１１  蓋材
１１ａ、１１ｂ  端部
１２  接合部
１２ａ、１２ｃ  一端部
１２ｂ、１２ｄ  他端部
１３  開口部
１３ａ  閉ループ部
１４  摘み部
１６  蓋材被係合部
１６ａ  屈曲部
１７  本体係合部
１８  固定部
２１  スリット
２２  斜めスリット
【図１】
0005726473.tif 000002
【図２】
0005726473.tif 000003
【図３】
0005726473.tif 000004
【図４】
0005726473.tif 000005
【図５】
0005726473.tif 000006
【図６】
0005726473.tif 000007
【図７】
0005726473.tif 000008
【図８】
0005726473.tif 000009